(57)【特許請求の範囲】
【請求項１】
ａ．平面視四角形の温水パネル１において、温水ヘッダー３は、前記温水パネル１の周縁の一つのコーナーに近い位置に組み付けられていると共にこの温水ヘッダー３の導管接続口６、６Ａの前方であって、下縁１Ａには四角形に切り欠いたヘッダー開口部７が形成されていること、
ｂ．更に、前記温水パネル１において、前記温水ヘッダー３が組み付けられたコーナーの左縁１Ｂには、縦長四角形に切り欠いたコーナー開口部８が形成されていると共にこのコーナー開口部８と前記ヘッダー開口部７間には、導管ガイド溝９、９Ａの入口がヘッダー開口部７の下縁１Ａに近い位置に設定され、出口は前記コーナー開口部８において下縁１ａから離れた位置に設定されていて、この入口と出口間は曲線状の導管ガイド溝９、９Ａで結ばれていること、
ｃ．導管を前記温水ヘッダー３まで導くためにカットして使用される導管ガイドパネル１０は、平面視四角形のパネル板に対して９０°円曲した９０°円弧導管 ガイド溝付の円弧ピース部１１、１３が下段において左右対称に配置されていると共にこの左右の円弧ガイドピース部１１、１３間には、左右の９０°円弧導管 ガイド溝１２、１２Ａ、１４、１４Ａを繋ぐ直線導管ガイド溝付の２枚の直線ガイドピース部１５、１６が形成され、更にこれらの円弧ガイドピース部１１、１３と直線ガイドピース部１５、１６の上段には各ピース部と同幅の溝無しピース部１８、１９、２０、２１が配置されていること、
ｄ．前記導管ガイドパネル１０の表面には、前記各ピース部を区画し、かつカットするためのスリット溝２２が形成されていること、
ｅ．上記導管ガイドパネル１０は、導管のガイド方向に向けることができる導管ガイド溝を形成したピース部をカットし、このカットしたピース部を温水パネル１のヘッダー開口部７とコーナー開口部８に嵌合させて用いることにより、導管ガイド溝を部屋の導管取出口から前記温水ヘッダー３の導管接続口６、６Ａのところまで導くことができること、
ｆ．を特徴とする床暖房用温水パネルにおける導管ガイド装置。
【請求項２】
請求項１に記載の導管ガイド装置を左下又は右下又は左上又は右上のコーナー部分に設けて成る床暖房用温水パネルにおける導管ガイド装置。
【発明の詳細な説明】
【技術分野】
【０００１】
本発明は、床暖房用温水パネルを部屋に施工するときに、この床暖房用温水パネルに組み付けられた温水ヘッダーの位置と熱源機間を往復で結ぶ導管の当該部屋における取出口との位置関係に応じて、最短で前記取出口と温水ヘッダー間に導管を配管するときに用いられる導管ガイド装置に関する。
【背景技術】
【０００２】
床暖房用の温水パネルを部屋に施工しようとしたときに、屋外の熱源機から延長された導管の取出口の位置は、建物の構造や熱源機の位置等から現場ごとに違うことが多い。
【０００３】
一方、温水パネルの温水ヘッダーは、部屋の壁に近い位置となるように、パネルの周縁に近い部分に組み付けられている。
【０００４】
このため、取出口と温水ヘッダーとはその位置が一致しないことが多く、このような場合には、取出口と温水ヘッダー間に導管をむき出しにして配管することはできないため、この間に導管ガイド用パネルを敷き込むようにしている。
【０００５】
この例として、特開２００２−２２８１６８号公報には、熱媒制御部とヘッダーとの間を連絡管で繋ぐ際に、多数の部材を準備することなく連絡管を種々の態様に対応させて配置することができる、連絡管ガイド用パネル、および、この連絡管ガイド用パネルを装備した床暖房用パネルとして、熱媒制御部に接続された連絡管をヘッダーへと導くための連絡管ガイド用パネルにおいて、この連絡管ガイド用パネルの表面には、連絡管埋設用の溝が、異なる複数の方向からヘッダーの連絡管接続部に集められて連絡可能に刻設された内容のものが紹介されている。
【０００６】
しかし、この発明の場合は、１枚のガイド用パネルに複数方向の溝が形成されていて、導管を一つの溝に埋設し、残った溝にはすべて埋め込み材を埋め込んで平らにすることが必要となり、手間がかかる。
【０００７】
また、温水パネルには、複数の方向から１ヶ所に集まるガイド溝を形成するため、パネルは必然的に大きくなり、省資源の観点からは問題がある。
【０００８】
次に、特開２００６−０９８０３２号公報には、方向の違う複数の溝を加工した１枚の
パネルを２枚に割って使う内容のものが紹介されている。
【０００９】
しかし、この発明の場合も、１枚のパネルに対して複数方向の溝を形成しているため、１枚のパネルは大きくなり、また使用しなくなった残りのパネルは通常廃棄してしまうため、省資源の観点からは問題がある。
【先行技術文献】
【特許文献】
【００１０】
【特許文献１】特開２００２−２２８１６８号公報
【特許文献２】特開２００６−０９８０３２号公報
【発明の概要】
【発明が解決しようとする課題】
【００１１】
本発明は、斯る点に鑑みて提供されるものであって、その目的は、床暖房用温水パネルにおいて、最小面積のパネル板を用いて導管をガイドすることができると共に施工が簡単な省資源に配慮した導管ガイド装置を提供することである。
【課題を解決するための手段】
【００１２】
本発明は上記した課題を解決するため、請求項１に記載の発明においては、床暖房用温水パネルにおける導管ガイド装置において、ａ．平面視四角形の温水パネル１において、温水ヘッダー３は、前記温水パネル１の周縁の一つのコーナーに近い位置に組み付けられていると共にこの温水ヘッダー３の導管接続口６、６Ａの前方であって、下縁１Ａには四角形に切り欠いたヘッダー開口部７が形成されていること、ｂ．更に、前記温水パネル１において、前記温水ヘッダー３が組み付けられたコーナーの左縁１Ｂには、縦長四角形に切り欠いたコーナー開口部８が形成されていると共にこのコーナー開口部８と前記ヘッダー開口部７間には、導管ガイド溝９、９Ａの入口がヘッダー開口部７の下縁１Ａに近い位置に設定され、出口は前記コーナー開口部８において下縁１ａから離れた位置に設定されていて、この入口と出口間は曲線状の導管ガイド溝９、９Ａで結ばれていること、ｃ．導管を前記温水ヘッダー３まで導くためにカットして使用される導管ガイドパネル１０は、平面視四角形のパネル板に対して９０°円曲した９０°円弧導管 ガイド溝付の円弧ピース部１１、１３が下段において左右対称に配置されていると共にこの左右の円弧ガイドピース部１１、１３間には、左右の９０°円弧導管 ガイド溝１２、１２Ａ、１４、１４Ａを繋ぐ直線導管ガイド溝付の２枚の直線ガイドピース部１５、１６が形成され、更にこれらの円弧ガイドピース部１１、１３と直線ガイドピース部１５、１６の上段には各ピース部と同幅の溝無しピース部１８、１９、２０、２１が配置されていること、ｄ．前記導管ガイドパネル１０の表面には、前記各ピース部を区画し、かつカットするためのスリット溝２２が形成されていること、ｅ．上記導管ガイドパネル１０は、導管のガイド方向に向けることができる導管ガイド溝を形成したピース部をカットし、このカットしたピース部を温水パネル１のヘッダー開口部７とコーナー開口部８に嵌合させて用いることにより、導管ガイド溝を部屋の導管取出口から前記温水ヘッダー３の導管接続口６、６Ａのところまで導くことができること、を特徴とするものである。
【００１３】
この発明によると、温水ヘッダーの導管接続口の前方に形成されたヘッダー開口部とコーナー開口部に導管ガイドパネルを分割して得たピース部を組み付けることにより、導管の配管方向を温水パネルのコーナーにおいて左縁又は下縁方向に設定することができると共に温水パネルのコーナーの左縁又は下縁に沿った上下又は左右方向に配管方向を設定することができる。
【発明の効果】
【００１４】
本発明は以上に説明したとおり、床暖房用温水パネルにおいて、温水ヘッダーの前方に形成したヘッダー開口部とコーナー開口部に導管ガイドパネルをカットして導管ガイド溝を配管方向に合わせるピース部を選択し、これを組み付けるだけで導管を温水ヘッダーの導管接続口に向けて簡単に配管することができる。
【００１５】
この結果、あらゆる配管方向に対応することができるため、施工が簡単であると共に必要最小面積のパネル板を用いるだけのため、省資源の観点からも有効であり、構造が簡単なために低コストにより製作できる利点がある。
【図面の簡単な説明】
【００１６】
【図１】温水パネルにおける温水ヘッダー部分（コーナー部分）の平面図である。
【図２】導管ガイドピースの説明図である。
【図３】Ａ−Ａ´線断面図である。
【図４】（Ａ）〜（Ｆ）導管の配管パターンの説明図である。
【発明を実施するための形態】
【００１７】
本発明に係る温水パネルは、温水マットとも称されるもので、合成樹脂発泡パネル板の表面に通常は断面Ｕ字状の配管溝を複数、通常は２〜４系統蛇行するように形成し、この配管溝内に樹脂製の温水パイプを配管したものである。
【００１８】
そして、この温水パネルには、前記温水パイプ内に系統ごとに約６０℃の温水を供給し、かつ一巡して還って来たものを集合させて熱源機例に還す温水ヘッダーが組み付けられている。
【００１９】
また、温水パネルには、床板を支持するための木製の小根太を称される支持材が組み付けられているものと、この支持材のない、所謂ネダレスタイプと称されるタイプのものがあり、本発明は、この双方に適用が可能である。
【００２０】
導管ガイドパネルとは、床暖房用温水パネルの施工対象となる部屋の導管取出口と温水パネルに組み付けられた温水ヘッダー間において、導管をむき出しにするのではなく、この導管を保護し、かつ無理なく誘導配管するために用いられるもので、材質は通常温水パネルと同質であり、これに形成される導管ガイド溝も温水パネルの配管溝と同様に断面Ｕ字状を呈している。但し、溝の大きさは、導管の径の方が温水パネル側の温水パイプの径より大径のため、温水パネル側の溝より大きく形成されている。
【００２１】
導管は、通常屋外に設置された熱源機と温水パネルの温水ヘッダー間を結ぶ樹脂管であって、往きと還りの２本構成である。
【実施例】
【００２２】
以下、本発明の一実施例を添付した図面に基づいて詳細に説明する。
図１は、温水パネルにおいて、この温水パネルの左下コーナー部分を示すものである。
【００２３】
この図１において、温水パネル１は、平面視四角形から成り、その表面には温水パイプ２が蛇行配管されている。
【００２４】
３は温水パネル１に組み付けられた温水ヘッダーであって、この温水ヘッダー３には
４系統の温水パイプ２が接続された往き口（ソケット）４と還り口（ソケット）５が形成されていると共に、導管接続口６、６ａが形成されている。
【００２５】
そして、温水ヘッダー３の導管接続口６、６ａは、温水パネル１の下縁１Ａ側に向けて組みつけられている。
【００２６】
７は温水パネル１において、前記温水ヘッダー３の導管接続口６、６Ａの前方下縁１Ａを切り欠いて形成された四角形のヘッダー開口部である。
【００２７】
８は下縁１Ａと左縁１Ｂが交わるコーナー部分に形成したコーナー開口部であって、このコーナー開口部８は縦長の四角形を呈し、このコーナー開口部８とヘッダー開口部７間には導管ガイド溝９、９Ａが形成されている。
【００２８】
１０は導管ガイドパネルであって、この導管ガイドパネル１０は、平面視四角形から成り、下段左右に９０°円弧のガイド溝１２、１２Ａ及び１４、１４Ａを形成した四角形の円弧ガイドピース部１１、１３を配置し、この円弧ガイドピース部１１、１３間に前記導管ガイド溝１２、１２Ａ及び１４、１４Ａを直線で繋ぐ直線導管ガイド溝１６、１６Ａ及び１７、１７Ａを形成した２枚の直線ガイドピース部１５、１６を配し、更にこれら円弧ガイドピース部１２、１２Ａ及び直線ガイドピース部１５、１６の上段にそれぞれ同幅の溝無しピース部１８、１９、２０、２１を配置すると共に各ピース部間には図３に示すようなスリット溝２２を形成し、それぞれのピース部ごとにカットすることができる。
【００２９】
以上に説明した温水パネル１及び導管ガイドパネル１０は、本実施例では硬質ポリウレタンを発泡させた材料で製作されているが、これ以外にポリスチレン、ポリプロピレン、ポリエチレン等を用いることができる。
【００３０】
また、その厚さはすべて９ｍｍに設定されているが、実施形態の規格品としてはこれ以外の寸法もある。
【００３１】
また、温水パイプ２及び導管には架橋ポリエチレン管が用いられているが、これ以外に例えばポリプロピレン管等を用いることができる。
【００３２】
導管ガイドパネル１０に形成したスリット溝２２は、裏側に折り曲げると簡単に割ることができる程度の深さに設定されている。
【００３３】
次に、上記構成の導管ガイド装置を用いて行う配管パターンを図４（Ａ）〜（Ｆ）に基づいて説明する。
【００３４】
１．パターン１（導管を温水パネル１の下縁１Ａ方向へ又は下縁１Ａ方向から温水ヘッダー３側へ配管する例）
【００３５】
この場合は、図４（Ａ）（ａ）（ｂ）に示すように、ヘッダー開口部７において、導管ガイドパネル１０の直線ガイドピース部１５、１６及び溝無しピース部１８又は１９をカットし、直線ガイドピース部１５、１６を横にして温水ヘッダー３の導管接続口６、６ａに直線導管ガイド溝１６、１６Ａ及び１７、１７Ａを合わせ、空いた左側の空間には溝無しピース部１８又は１９を縦にして組み付ける。
【００３６】
また、コーナー開口部８には溝無しピース部１８、２０（又は１９、２１）を組み付け、導管ガイド溝９、９Ａには充填材を充填する。
【００３７】
なお、上記において、導管ガイドパネル１０において、使用するピース部を（ａ）に、このピース部をヘッダー開口部７とコーナー開口部８に組み付けた状態を（ｂ）に示  し、使用したピース部が判るように対応するＡ、Ｂ、Ｃの符号を（ａ），（ｂ）の双方  に記入した。以下パターン２〜６においても同じ。
【００３８】
熱源機（図示せず）から部屋の導管取出口（図示せず）を経由して導入された温水循  環用の往路と復路の導管（図示せず）は、温水パネル１の下縁１Ａのところまでは別に  用意された導管ガイドパネル部材を用いて配管されたのち、下縁１Ａから直線導管ガイ  ド溝１６、１６Ａ及び１７、１７Ａを経由して温水ヘッダー３の導管接続口６、６Ａの  ところまで導かれ、それぞれ接続口４、５に挿し込まれ、抜け止めバンド（図示せず）  で固定される。
なお、この配管例の説明は、往路側を中心に説明したが復路側も同じ配管例となる。  
【００３９】
２．パターン２（導管を温水パネル１の下方向の右側へ又は右側方向から温水ヘッダー３側へ配管する例）
【００４０】
この場合は、図４（Ｂ）（ａ）（ｂ）に示すように、ヘッダー開口部７内に直線ガイドピース部１５と９０°円弧ガイドピース部１１を組み付けてガイド溝１６、１６Ａと９０°円弧ガイド溝１２、１２Ａ内に配管を行うことにより、温水パネル１の下縁１Ａに対して右方向からの導管を温水ヘッダー３へと配管を行うことができる。コーナー開口部８に溝無しピース部１８、２０を組み付ける。
【００４１】
３．パターン３（導管を温水パネル１の下方から左方向へ又は左方向から温水ヘッダー３側へ配管する場合）
【００４２】
この場合は、図４（Ｃ）（ａ）（ｂ）に示すように、溝無しピース１９、２１と９０°円弧ガイドピース部１３及び直線ピース部１６及び溝無しピース部２１をヘッダー開口部７内に組み付けると共にコーナー開口部８に溝無しピース部１８、２０を組み付ける。
【００４３】
導管は、９０°円弧ガイド溝１４、１４Ａ及び直線ガイド溝１７、１７Ａを経由して温水ヘッダー３へ導かれる。
【００４４】
４．パターン４（導管を温水パネル１の左方向へ又は左方向から温水ヘッダー３側へ配管する場合）
【００４５】
この場合は、図４（Ｄ）（ａ）（ｂ）に示すように、９０°円弧ピース部１３と溝無しピース部１９をヘッダー開口部８内に組み付け、コーナー開口部８に水平ガイドピース部１６と溝無しピース部２１を組み付ける。
【００４６】
導管は水平ガイド溝１７、１７Ａと導管ガイド溝９、９Ａ及び円弧ガイド溝１４、１４Ａを経由して温水ヘッダー３へと導かれる。
【００４７】
５．パターン５（導管を温水パネル１の左方向の上側へ又は上側から温水ヘッダー３側へ配管する場合）
【００４８】
この場合は、図４（Ｅ）（ａ）（ｂ）に示すように９０度円弧ガイドピース部１１、溝無しピース部１８をヘッダー開口部７内に組み付け、コーナー開口部８に９０°円弧ガイドピース部１３と溝無しピース部１９を組み付ける。
【００４９】
導管は、９０°円弧ガイド溝１４、１４Ａ及び導管ガイド溝９、９Ａ、９０°円弧ガイド溝１２、１２Ａを経由して温水ヘッダー３へと導かれる。
【００５０】
６．パターン６（導管を温水パネル１の左方向の下方へ又は下方から温水ヘッダー３側へ配管する場合）
【００５１】
この場合は、図４（Ｆ）（ａ）（ｂ）に示すように、９０°円弧ガイドピース部１３と溝無しピース部１９をヘッダー開口部７内に組み付け、コーナー開口部８に９０°円弧ガイドピース部１１と溝無しピース部１８を組み付ける。
【００５２】
導管は、９０°円弧ガイド溝１２、１２Ａ及び導管ガイド溝９、９Ａ及び９０°円弧  ガイド溝１４、１４Ａを経由して温水ヘッダー３へと導かれる。
【００５３】
以上に説明したパターン１〜６は、温水ヘッダー３が温水パネル１において左下隅に  近い位置に組みつけられている例であるが、右下隅の場合も同じように、右コーナー部分にコーナー開口部が形成され、各ピース部は以上に説明したパターン１〜６と左右対称となるように組み付けられる。
【００５４】
また、温水パネル１の上左隅又は右隅に温水ヘッダー３が組み付けられた場合は、上記パターン１〜６と上下対称となる。
【符号の説明】
【００５５】
１  温水パネル
２  温水パイプ
３  温水ヘッダー
６、６Ａ  導管接続口
７  ヘッダー開口部
８  コーナー開口部
１０  導管ガイドパネル
１１、１３  ９０°円弧ガイドピース部
１５、１６  直線ガイドピース部
１８乃至２１  溝無しピース部
【図１】
0005497350.tif 000002
【図２】
0005497350.tif 000003
【図３】
0005497350.tif 000004
【図４】
0005497350.tif 000005